(57)【要約】      （修正有）【課題】水道管の管路内調査を迅速化できるようにした水道管調査機材を提供する。【解決手段】この水道管調査機材１は、水道用Ｔ字管の縦管９に固定される空気弁６（水道用資機材）に取り付けられるものであって、空気弁６に連結される連結部と、空気弁６に連結されたとき空気弁６の管路６ａに略同軸的に連通するよう形成された貫通孔１１ｂと、を有した機材本体と、貫通孔１１ｂを閉塞するように機材本体に固定された透明窓体１２と、機材本体に形成された通気孔と、その通気孔を閉塞可能な閉塞体と、を備えてなる。【選択図】図１
2011117271.tif 000002
【特許請求の範囲】
【請求項１】
水道用Ｔ字管の縦管に固定される水道用資機材に取り付けられる水道管調査機材であって、
水道用資機材に連結される連結部と、水道用資機材に連結されたとき水道用資機材の管路に略同軸的に連通するよう形成された貫通孔と、を有した機材本体と、
貫通孔を閉塞するように機材本体に固定された透明窓体と、
機材本体又は透明窓体に形成された通気孔と、
その通気孔を閉塞可能な閉塞体と、
を備えてなることを特徴とする水道管調査機材。
【請求項２】
請求項１に記載の水道管調査機材において、
前記機材本体に形成された通気孔は、透明窓体により閉塞された貫通孔の下部分又は機材本体の下面から機材本体の上面又は側面に向かって形成されていることを特徴とする水道管調査機材。
【請求項３】
請求項１又は２に記載の水道管調査機材において、
前記貫通孔の周辺部に設けられ、水道用資機材の管路に向かって光を照射する照明灯を更に備えることを特徴とする水道管調査機材。
【請求項４】
請求項１〜３のいずれか１項に記載の水道管調査機材において、
透明窓体又は機材本体に対して縦方向に自在にスライド可能な縦管挿入棒体を更に備えてなることを特徴とする水道管調査機材。
【請求項５】
請求項４に記載の水道管調査機材において、
前記縦管挿入棒体の先端部に設けられた照明灯を更に備えてなることを特徴とする水道管調査機材。
【請求項６】
請求項４に記載の水道管調査機材において、
前記縦管挿入棒体の先端部に結合された柔軟な線材と、
該線材の先端部に取り付けられた発光体と、
を更に備えてなることを特徴とする水道管調査機材。
【発明の詳細な説明】
【技術分野】
【０００１】
本発明は、水道管調査に好適な水道管調査機材に関する。
【背景技術】
【０００２】
水道管（上水管）は、人の居住地域に応じて設置されており、また、新しい居住地域が出来ると、通常、古い水道管に継ぎ足されながら必要なところに新設される。水道管はいったん設置されると、非常に長く用いられるため、水道管の保守管理はたいへん重要なことである。
【０００３】
一般に、水道管は、設置後数年を経過すると、内面に水垢や錆が付着し易くなる。そして、水道管を通って流出した水に水垢や錆が混入されていると、通常、その地域の水道管を止水し、水道用Ｔ字管の縦方向（上下方向）部分、すなわち縦管に固定される補修弁などからカメラなどを進入させて水道管の管路内調査を行い、掃除具を進入させて掃除（水道管洗浄）を行うことにより保守管理する。水道用Ｔ字管は、横方向に延びる水道管の適宜箇所の一部を構成するものであり、その縦管の端部に空気弁、消火栓、補修弁などの水道用資機材が固定されるものである。本願発明者は、特許文献１において、迅速に組立や分解作業ができて、水道管に調査カメラなどを進入させることも容易にできる空気弁を提案している。
【先行技術文献】
【特許文献】
【０００４】
【特許文献１】特開２００９−１２１６７８公報
【発明の概要】
【発明が解決しようとする課題】
【０００５】
しかし、水道管を止水して行う管路内調査と掃除は、長い作業時間を必要とするため、住民等の通常の生活に大きな支障をきたすこととなる。本願発明者は、空気弁、消火栓、補修弁などの水道用資機材が取り付けられている水道用Ｔ字管が、水道管において水垢や錆が付着し易いところであり、また、比較的手近なところであることに着目し、それを利用して管路内調査を迅速化することについて鋭意研究し、本発明を完成するに至った。
【０００６】
本発明は、係る事由に鑑みてなされたものであり、その目的は、水道管の管路内調査を迅速化できるようにした水道管調査機材を提供することにある。
【課題を解決するための手段】
【０００７】
上記目的を達成するために、請求項１に記載の水道管調査機材は、水道用Ｔ字管の縦管に固定される水道用資機材に取り付けられる水道管調査機材であって、水道用資機材に連結される連結部と、水道用資機材に連結されたとき水道用資機材の管路に略同軸的に連通するよう形成された貫通孔と、を有した機材本体と、貫通孔を閉塞するように機材本体に固定された透明窓体と、機材本体又は透明窓体に形成された通気孔と、その通気孔を閉塞可能な閉塞体と、を備えてなることを特徴とする。
【０００８】
請求項２に記載の水道管調査機材は、請求項１に記載の水道管調査機材において、前記機材本体に形成された通気孔は、透明窓体により閉塞された貫通孔の下部分又は機材本体の下面から機材本体の上面又は側面に向かって形成されていることを特徴とする。
【０００９】
請求項３に記載の水道管調査機材は、請求項１又は２に記載の水道管調査機材において、前記貫通孔の周辺部に設けられ、水道用資機材の管路に向かって光を照射する照明灯を更に備えることを特徴とする。
【００１０】
請求項４に記載の水道管調査機材は、請求項１〜３のいずれか１項に記載の水道管調査機材において、透明窓体又は機材本体に対して縦方向に自在にスライド可能な縦管挿入棒体を更に備えてなることを特徴とする。
【００１１】
請求項５に記載の水道管調査機材は、請求項４に記載の水道管調査機材において、前記縦管挿入棒体の先端部に設けられた照明灯を更に備えてなることを特徴とする。
【００１２】
請求項６に記載の水道管調査機材は、請求項４に記載の水道管調査機材において、前記縦管挿入棒体の先端部に結合された柔軟な線材と、該線材の先端部に取り付けられた発光体と、を更に備えてなることを特徴とする。
【発明の効果】
【００１３】
本発明に係る水道管調査機材によれば、それが取り付けられる水道用資機材及び水道用Ｔ字管の縦管内を、透明窓体を通して簡単に目視観察できるようにしたので、管路内調査においてカメラなどを進入させる前に目視調査が行え、作業を迅速化することができる。
【図面の簡単な説明】
【００１４】
【図１】本発明の第１の実施形態に係る水道管調査機材１を空気弁６に取り付けた状態を示す断面図である。
【図２】同上の水道管調査機材１を示すもので、（ａ）が平面図、（ｂ）正面視断面図、（ｃ）が右側面視断面図、（ｄ）が底面図である。
【図３】同上の水道管調査機材１の閉塞体１３を示す断面図である。
【図４】同上の水道管調査機材１が取り付けられる空気弁６の通常時の状態を示す断面図である。
【図５】本発明の第２の実施形態に係る水道管調査機材２を消火栓７に取り付けた状態を示す断面図である。
【図６】同上の水道管調査機材２を示すもので、（ａ）正面視断面図、（ｂ）が底面図である。
【図７】本発明の第３の実施形態に係る水道管調査機材３を補修弁８に取り付けた状態を示す断面図である。
【図８】同上の水道管調査機材３を示すもので、（ａ）正面視断面図、（ｂ）が底面図である。
【図９】本発明の第１の実施形態に係る水道管調査機材１に照明灯１４を設けた例の正面視断面図である。
【図１０】本発明の第１の実施形態に係る水道管調査機材１に照明灯１４を設けた別の例の一部を示す正面視断面図である。
【図１１】本発明の第１の実施形態に係る水道管調査機材１の変形例１’を空気弁６に取り付けた状態を示す断面図である。
【図１２】同上の変形例１’の貫通孔１２ａ近傍を拡大して示すものであって、（ａ）が正面視断面図、（ｂ）が底面図である。
【発明を実施するための形態】
【００１５】
以下、本発明を実施するための好ましい形態を説明する。本発明の第１の実施形態に係る水道管調査機材１は、図１に示すように、水道用資機材である空気弁６の上方に取り付ける型のものである。空気弁６は、水道用Ｔ字管の縦方向部分（縦管）９に、別の水道用資機材である補修弁８を介して固定されている。
【００１６】
水道管調査機材１は、図２に示すように、機材本体１１と透明窓体１２を備えている。機材本体１１は、略円筒状を成し、空気弁６に取り付けるために、空気弁６に連結される連結部１１ａと、空気弁６に連結されたとき空気弁６の管路６ａに略同軸的（中心軸を略同一にして）に連通するよう形成された段付きの貫通孔１１ｂと、を有している。具体的には、連結部１１ａは、空気弁６の後述する弁箱６１の管路（中空部）６ａに嵌入される嵌入部１１ａａと、その上方で径方向（横方向）かつ上方向に所定幅でもって突出した２個の係合凸部１１ａｂ、１１ａｂと、嵌入部１１ａａの外周面に設けられており、後述する弁箱６１のレバー６１ｃ、６１ｃが倒されたときに両側からそれらに圧接される凹状の係合溝１１ａｃと、が形成されて成る。段付きの貫通孔１１ｂは、上側開口１１ｂａが最小内径であり、下方に段部１１ｂｃ、１１ｂｄが設けられ、下側開口１１ｂｂが最大内径となっている。透明窓体１２は、ガラス又は透明プラスチック製であって略円板状を成し、機材本体１１の貫通孔１１ｂの１つの段部１１ｂｃに固定部材（螺子）１２Ａで固定されて貫通孔１１ｂを閉塞している。従って、透明窓体１２を通して外部から内部を簡単に目視観察できる。
【００１７】
また、機材本体１１は、透明窓体１２により閉塞された貫通孔１１ｂの下部分から（具体的には、貫通孔１１ｂのもう１つの段部１１ｂｄから）機材本体１１の上面に向かって形成された通気孔１１ｃを有している。これは、水道管調査機材１を空気弁６に取り付けた後、水が上昇して透明窓体１２まで満たされることが観察のし易さの点から好ましいためである。その場合、図３に示すような通気孔１１ｃを閉塞可能な閉塞体１３を備えることになる。閉塞体１３を外している状態では、通気孔１１ｃを通って、透明窓体１２の下方に溜まった空気が水の圧力により外部に排出される。通気孔１１ｃは、機材本体１１の側面に向かって横方向に形成されることも可能であるが、図２のように、機材本体１１の上面に向かって縦方向に形成されるのが、完全に空気が排出されるので好ましい。閉塞体１３は、コックなどを用いることも可能であるが、占有スペースを小さくするためには、ねじ構造とし、通気孔１１ｃにねじ山を設けておくのが好ましい。
【００１８】
空気弁６は、下部に補修弁８の鍔部８１ｂに接合される鍔部６１ａが設けられ、内部に管路（中空部）６ａが形成された弁箱６１を有して構成されている。管路６ａは、弁箱６１の上端から下端（鍔部６１ａの中央部）まで貫通して形成されている。空気弁６は、通常動作のとき（空気弁として機能しているとき）には、図４に示すように、弁箱６１の管路６ａに弁体案内６２、フロート弁体６３、遊動弁体６４が配置され、弁箱６１の上端に蓋体６５が嵌入されており、弁箱６１を覆うようにカバー６６が取り付けられている。蓋体６５は、その連結部が水道管調査機材１の連結部１１ａと実質的に同一のものである。すなわち、蓋体６５は、弁箱６１の管路（中空部）６ａに嵌入される嵌入部６５ａａと、その上方で径方向かつ上方向に所定幅でもって突出した２個の係合凸部６５ａｂ、６５ａｂと、嵌入部６５ａａの外周面に設けられており、弁箱６１のレバー６１ｃ、６１ｃが倒されたときに両側からそれらに圧接される凹状の係合溝６５ａｃと、が形成されているのである。なお、空気弁６は、特許文献１に記載されているものと同様な構造のものである。
【００１９】
水道管調査機材１は、補修弁８の弁体８２を回転させて管路８ａを閉じた後、空気弁６のカバー６６、蓋体６５、弁体案内６２、フロート弁体６３、遊動弁体６４を取り外してから、弁箱６１に取り付けられる。水道管調査機材１を弁箱６１に取り付けるときは、図１に示すように、水道管調査機材１の連結部１１ａの嵌入部１１ａａを弁箱６１に嵌入し、水道管調査機材１の係合凸部１１ａｂ、１１ａｂを弁箱６１の係合凹所６１ｂ、６１ｂに差し込み、レバー６１ｃ、６１ｃを倒す。
【００２０】
このようにして水道管調査機材１を空気弁６に取り付けた後、補修弁８の弁体８２を回転させて管路８ａを開いて水を上昇させ、閉塞体１３を通気孔１１ｃから外して通気孔１１ｃを開放し空気を抜く。空気が抜けたら閉塞体１３で通気孔１１ｃを閉塞し、透明窓体１２を通して空気弁６の管路６ａ、補修弁８の管路８ａ、縦管９の内部９ａを目視観察する。このとき、手持ちの電灯で観察したいところに光を当てるのがよい。水垢や錆は、喫水線（水面と管内面との接触部分）に沿って生じ付着し易い。横方向に延びる水道管は水で満ちているため、喫水線は通常、水道用Ｔ字管の縦管９より上方に有る。この喫水線が水圧及び溜まった空気に応じて上下するため、縦管９の最下部の角部９ｂから空気弁６（及び補修弁８や後述の消火栓７）までに水垢や錆が生じて付着し易くなっている。
【００２１】
次に、本発明の第２の実施形態に係る水道管調査機材２について説明する。この水道管調査機材２は、図５に示すように、水道用資機材である消火栓７の上方に取り付ける型のものである。そのため、差し込み式（町野式）オス型の口金７０が消火栓７の放水口７ａａに装着されている。消火栓７は、水道用Ｔ字管の縦管９に固定されている。なお、差し込み式オス型の口金７０が放水口７ａａに装着された消火栓７の状態は、消火ホースを接続するときの一般的な状態である。
【００２２】
水道管調査機材２は、図６に示すように、機材本体２１と透明窓体２２を備えている。機材本体２１は、略円筒状を成し、消火栓７（口金７０）に取り付けるために、口金７０が嵌入されて連結する連結部２１ａと、消火栓７に連結されたとき消火栓７の管路７ａに略同軸的に連通するよう形成された段付きの貫通孔２１ｂと、を有している。連結部２１ａの形状は、口金７０に連結するときの消火ホースの端部と同様に差し込み式（町野式）メス型になっている。段付きの貫通孔２１ｂは、上側開口２１ｂａが最小内径であり、下方に段部２１ｂｃ、２１ｂｄが設けられ、下側開口２１ｂｂが最大内径となっている。透明窓体２２は、ガラス又は透明プラスチック製であって略円板状を成し、機材本体２１の貫通孔２１ｂの１つの段部２１ｂｃに固定部材（螺子）２２Ａで固定されて貫通孔２１ｂを閉塞している。従って、透明窓体２２を通して外部から内部を簡単に目視観察できる。
【００２３】
また、機材本体２１は、水道管調査機材１の通気孔１１ｃと同様の、すなわち、透明窓体２２により閉塞された貫通孔２１ｂの下部分から（具体的には、貫通孔２１ｂのもう１つの段部２１ｂｄから）機材本体２１の上面又は側面に向かって形成された通気孔２１ｃを有している。また、水道管調査機材１の閉塞体１３と同様の閉塞体（図示せず）を備えている。
【００２４】
消火栓７は、下部に縦管９の鍔部９ｃに接合される鍔部７１ａが設けられ、内部に管路７ａが形成された弁箱７１を有して構成されている。管路７ａは、弁箱７１の上端（放水口７ａａ）から下端（鍔部７１ａの中央部）まで貫通して形成されている。管路７ａの途中に弁体７２が設けられ、操作桿７３の操作により弁体７２が回転して管路７ａが開閉される。
【００２５】
水道管調査機材２の連結部２１ａに口金７０を嵌入することで、水道管調査機材２を消火栓７に取り付けた後、操作桿７３により管路７ａを導通させて水を上昇させ、水道管調査機材２の透明窓体２２を通して、上記の第１の実施形態の場合と同様にして、水道用Ｔ字管の縦管９の内部９ａを目視観察できる。
【００２６】
なお、水道管調査機材２は、差し込み式（町野式）オス型の口金７０が装着できるものならば、消火栓に限らず、例えば、空気弁にも取り付けられる。前述した空気弁６は、差し込み式の口金７０が装着できるもの（特許文献１にその旨は記載されている）であり、口金７０を介して装着し水道管調査機材２によっても水道用Ｔ字管の縦管９を目視観察することができる。
【００２７】
次に、本発明の第３の実施形態に係る水道管調査機材３について説明する。この水道管調査機材３は、図７に示すように、水道用資機材である補修弁８の上方に取り付ける型のものである。補修弁８は、前述したように水道用Ｔ字管の縦管９に固定されている。
【００２８】
水道管調査機材３は、図８に示すように、機材本体３１と透明窓体３２を備えている。機材本体３１は、略円板状を成し、補修弁８に取り付けるために、補修弁８の鍔部８１ｂにボルトとナットを用いて連結する連結部である４個の縦方向に貫通する小孔３１ａ、３１ａ、・・・と、補修弁８に連結されたとき補修弁８の管路８ａに略同軸的に連通するよう形成された段付きの貫通孔３１ｂと、を有している。段付きの貫通孔３１ｂは、上側開口３１ｂａが最小内径であり、下方に段部３１ｂｃ、３１ｂｄが設けられ、下側開口３１ｂｂが最大内径となっている。透明窓体３２は、ガラス又は透明プラスチック製であって略円板状を成し、機材本体３１の段付き貫通孔３１ｂの１つの段部３１ｂｃに固定部材（螺子）３２Ａで固定されて貫通孔３１ｂを閉塞している。従って、透明窓体３２を通して外部から内部を簡単に目視観察できる。
【００２９】
また、機材本体３１は、水道管調査機材１の通気孔１１ｃと同様の、すなわち、透明窓体３２により閉塞された貫通孔３１ｂの下部分から（具体的には、貫通孔３１ｂのもう１つの段部３１ｂｄから）機材本体３１の上面又は側面に向かって形成された通気孔３１ｃを有している。また、水道管調査機材１の閉塞体１３と同様の閉塞体（図示せず）を備えている。
【００３０】
補修弁８は、下部に縦管９の鍔部９ｃに接合される鍔部８１ａが設けられ、上部に空気弁６などの他の水道用資機材に接合される鍔部８１ｂが設けられ、内部に管路８ａが形成された弁箱８１を有して構成されている。管路８ａは、弁箱８１の上端（鍔部８１ｂの中央部）から下端（鍔部８１ａの中央部）まで貫通して形成されている。管路８ａの途中に弁体８２が設けられ、アングルレバー８３の操作により弁体８２が回転して管路８ａが開閉される。
【００３１】
水道管調査機材３を補修弁８に取り付けた後、アングルレバー８３により管路８ａを導通させて水を上昇させ、水道管調査機材３の透明窓体３２を通して、上記の第１の実施形態の場合と同様にして、水道用Ｔ字管の縦管９の内部９ａを目視観察できる。なお、水道管調査機材３は、ボルトとナットを用いて補修弁８に取り付けるので、水道管調査機材１、２に比べて取り付けにかかる時間は多くなる。
【００３２】
このように、水道管調査機材１、２、又は３を用いてそれが取り付けられる水道用資機材（空気弁６、消火栓７、又は補修弁８）から縦管９までを簡単に目視観察できるので、管路内調査においてカメラなどを進入させる前に目視観察することで、作業を迅速化して保守管理することができる。
【００３３】
水道管調査機材１、２、又は３は、照明灯を設けることも可能である。以下、水道管調査機材１について説明するが、水道管調査機材２、３においても同様である。水道管調査機材１においては、水道管調査機材１の貫通孔１１ｂの周辺部に空気弁６の管路６ａに向かって光を照射する照明灯１４を設けることが可能である。この場合、照明灯１４は、図９に示すように透明窓体１２の側方又は下方に設けてもよいし、透明窓体１２の上方に設けてもよい。照明灯１４を透明窓体１２の側方又は下方に設けると、透明窓体１２の上方に設けるよりも明るさの点で有利である。一方、照明灯１４を透明窓体１２の上方に設けると、防水の点で有利であり、機材本体１１の上面又は側面に向かって電気配線（図示せず）を延ばすのにも有利である。また、機材本体１１の上面又は側面には、電気配線につながれた電池を設けてもよいし、電極端子だけ設けておいて調査時に手持ちのバッテリーに接続させるようにしてもよい。
【００３４】
また、水道管調査機材１においては、後述の水道管調査機材１’と同様にして透明窓体１２又は機材本体１１に対して縦方向に自在にスライド可能な縦管挿入棒体１５を取り付け（図１１参照。）、そして、図１０に示すように、縦管挿入棒体１５の先端部に照明灯１４を設けることも可能である。この場合、電気配線を縦管挿入棒体１５の内部に通したり、照明灯１４を電池付きＬＥＤにしたりすればよい。こうすると、縦管挿入棒体１５を回動させたりスライドさせたりして、縦管９のいろいろな箇所を選択して局所的に非常に明るく照らすことができる。なお、貫通孔１１ｂの周辺部の上記照明灯１４と併用してもよいことは勿論である。また、縦管挿入棒体１５の先端部の照明灯１４は、水道管調査機材１’の後述のストッパ１５Ｃのような働きをさせることも可能である。
【００３５】
次に、水道管調査機材１、２、又は３を変形して、保守管理のために管路内の水流の方向を調査することができるようにした水道管調査機材１’、２’、又は３’について説明する。以下、水道管調査機材１’について説明するが、水道管調査機材２’、３’においても同様である。水道管調査機材１’は、図１１に示すように、縦方向に延伸する縦管挿入棒体１５が水道管調査機材１に取り付けられたものである。縦管挿入棒体１５は、透明窓体１２又は機材本体１１に対して縦方向に自在にスライド可能であり、水道管調査機材１’が空気弁６に取り付けられたときに縦管９に挿入された状態となって、先端部が縦管９の最下部近傍に位置することができるような長さである。縦管挿入棒体１５の先端部には柔軟な線材１５Ａの基端が結合されており、その線材１５Ａの先端部には発光体１５Ｂが取り付けられている。発光体１５Ｂは、後述のように管路内の水流に追従して縦管挿入棒体１５からその下流側に位置するようになる。線材１５Ａは、水流が急な場所でも耐え得るように強靭であることは勿論であるが、水流が非常に緩い場所でも水流に追従できるように、張りがなく、所謂くたくたの線材であるのが好ましい。線材１５Ａとしては、例えば、釣り糸として用いられる撚り糸が好適である。発光体１５Ｂは、光を発する軽量かつ小型のものならば限定はされず、例えば、蛍光体、蓄光体、電池付きＬＥＤなどが可能である。軽さとコストの面では、蛍光体或いは蓄光体が好ましい。
【００３６】
好ましくは、縦管挿入棒体１５の先端部に横方向に突出したストッパ１５Ｃを設けるようにする。このストッパ１５Ｃは、水圧により縦管挿入棒体１５が押し上げられたときに、縦管挿入棒体１５が水道管調査機材１’から外れるのを防止することができる。このストッパ１５Ｃは、縦管挿入棒体１５に螺着により取り付けできるものが好ましい。
【００３７】
縦管挿入棒体１５は、以下の例のようにして水道管調査機材１’に取り付けることができる。すなわち、図１２に示すように、透明窓体１２に、縦管挿入棒体１５が挿入できる縦方向の貫通孔１２ａを形成する。貫通孔１２ａは、中央（縦方向中央）付近に弾力のあるＯリング１５Ｄを嵌め込むことができ、その下方をＯリング固定具１５Ｅが螺着できるようにする。Ｏリング固定具１５Ｅは、六角レンチにより回動されるように、六角形状の貫通孔が縦方向に形成されており、外側面にねじ山が形成されている。水道管調査機材１’は、透明窓体１２の貫通孔１２ａに縦管挿入棒体１５が挿入された状態では、Ｏリング１５Ｄが螺着されたＯリング固定具１５Ｅにより固定されて縦管挿入棒体１５に密着しており、水道管調査機材１’が空気弁６に取り付けられたときに水が上昇しても止水される。なお、縦管挿入棒体１５は、機材本体１１に貫通孔１２ａと同様な貫通孔を形成して、機材本体１１に取り付けてもよい。
【００３８】
このような水道管調査機材１’は、上述の水道管調査機材１の目視観察の準備と同様にして、空気弁６に取り付け、空気弁６と補修弁８の操作を行う。そして、縦管挿入棒体１５をスライドさせ、その先端部を縦管９の最下部近傍に位置させる。そうすると、発光体１５Ｂは、管路内の水流（図１において破線で示す。）に追従して縦管挿入棒体１５からその下流側に位置するようになる。発光体１５Ｂは光を発しているので、暗闇中の管路内でその位置を目視観察することができる。
【００３９】
水道管調査機材１’は、このように管路内の水流の方向の目視観察が可能である。それとともに、水道管調査機材１を用いたときのような水垢や錆の目視観察も可能であるが、縦管挿入棒体１５を使用せず水垢や錆の目視観察を行いたいだけのときは、縦管挿入棒体１５を外し、止水できるように縦管挿入棒体１５を短い棒体に交換したり、Ｏリング１５ＤやＯリング固定具１５Ｅを貫通孔のないものに交換したりすることも可能である。
【００４０】
これらの水道管調査機材１’、２’、又は３’を用いると、管路内の水流の方向を容易に調査でき、特に、網状に設置された水道管の保守管理のために、各所の水流の方向を示す水流マップを容易に作成することができる。この水流マップを用いると、管路内調査において、水流マップに従って調査が必要な水道用資機材（空気弁６、消火栓７、又は補修弁８）を特定して縦管９の水垢や錆の目視観察することで、作業を更に迅速化して保守管理することができる。その他、この水流マップは保守管理のために広く利用可能であり、例えば、新しい居住地域のために、それまでの水道管の水流マップに従って水道管を拡充するときにも利用可能である。
【００４１】
以上、本発明の実施形態に係る水道管調査機材について説明したが、本発明は、上述の実施形態に記載したものに限られることなく、特許請求の範囲に記載した事項の範囲内でのさまざまな設計変更が可能である。例えば、水道管調査機材１、２、又は３は、その形状を変更してさまざまな型の水道用資機材に適用できる。具体的には、水道管調査機材１、２、又は３の連結部１１ａ、２１ａ、３１ａは、空気弁６の弁箱６１や補修弁８の弁箱８１のように水道用資機材を構成する部材、或いは消火栓７における口金７０のように水道用資機材に装着する部材の形状に応じた変更が可能である。例えば、空気弁の弁箱の上部がボルトとナットを用いて他の部材を取り付けるものであるならば、それに水道管調査機材３を取り付けることも可能である。また、水道管調査機材が連結する水道用資機材を構成する部材は、弁箱には限られず、また、水道管調査機材が連結する水道用資機材に装着する部材は、差し込み式（町野式）オス型には限られない。
【００４２】
また、水道管調査機材１、２、又は３の通気孔１１ｃ、２１ｃ、３１ｃは、貫通孔１１ｂ、２１ｂ、３１ｂの下側開口１１ｂｂ、２１ｂｂ、３１ｂｂの内径が水道用資機材（空気弁６、消火栓７、又は補修弁８）の管路６ａ、７ａ、８ａの上側開口の内径よりも小さい場合は、下側開口１１ｂｂ、２１ｂｂ、３１ｂｂの近傍の機材本体１１、２１、３１の下面から上面又は側面に向かって形成することも場合によっては可能である。また、縦管挿入棒体１５を用いる場合は、水道管調査機材１’（又は１） の通気孔１１ｃのかわりに上記貫通孔１２ａを兼用させ、閉塞体１３のかわりに縦管挿入棒体１５を兼用させることも可能である。水道管調査機材２’、３’ （又は２、３）についても同様である。また、縦管挿入棒体１５を用いない場合でも、場合によっては、強度に問題がなければ、水道管調査機材１、２、又は３の透明窓体１２、２２、３２に通気孔１１ｃ、２１ｃ、３１ｃを形成することも可能である。
【符号の説明】
【００４３】
１、２、３    水道管調査機材
１１、２１、３１    機材本体
１１ａ、２１ａ、３１ａ    機材本体の連結部
１１ｂ、２１ｂ、３１ｂ    機材本体の貫通孔
１１ｃ、２１ｃ、３１ｃ    機材本体の通気孔
１２、２２、３２    透明窓体
１３    閉塞体
１４    照明灯
１５    縦管挿入棒体
１５Ａ  線材
１５Ｂ  発光体
６、７、８    水道用資機材（空気弁、消火栓、補修弁）
６ａ、７ａ、８ａ  水道用資機材の管路
９    水道用Ｔ字管の縦管
【図１】
2011117271.tif 000003
【図２】
2011117271.tif 000004
【図３】
2011117271.tif 000005
【図４】
2011117271.tif 000006
【図５】
2011117271.tif 000007
【図６】
2011117271.tif 000008
【図７】
2011117271.tif 000009
【図８】
2011117271.tif 000010
【図９】
2011117271.tif 000011
【図１０】
2011117271.tif 000012
【図１１】
2011117271.tif 000013
【図１２】
2011117271.tif 000014